(57)【要約】【課題】楽曲等の情報の再生状況に応じて特典を得ることができ、ユーザの購買意欲を高め、楽曲等の販売促進効果を高めることのできる特典取得方法を提供すること。【解決手段】特典を提供可能なサーバと、情報再生機能を備えた端末装置との間で通信を行わせ、サーバから特典を取得させるための特典取得方法であって、楽曲の再生状況を検出するステップ（Ｓ２、Ｓ４）と、これらステップにおいて検出された楽曲の再生状況に基づいて特典取得の条件が成立したか否かを判断するステップ（Ｓ５、Ｓ６）と、これらステップにおいて特典取得の条件が成立したと判断した場合、サーバに接続して特典を取得しにいくステップ（Ｓ７、Ｓ８）とを含む。【選択図】  図４
2007219799.tif 000002
【特許請求の範囲】
【請求項１】
特典を提供可能なサーバと、情報再生機能を備えた端末装置との間で通信を行わせ、前記サーバから特典を取得させるための特典取得方法であって、
情報の再生状況を検出する第１のステップと、
該第１のステップにおいて検出された情報の再生状況に基づいて特典取得の条件が成立したか否かを判断する第２のステップと、
該第２のステップにおいて特典取得の条件が成立したと判断した場合、前記サーバに接続して特典を取得しにいく第３のステップとを含んでいることを特徴とする特典取得方法。
【請求項２】
前記情報の再生状況には、情報の累積再生回数、情報の累積再生時間のうちの少なくともいずれかが含まれていることを特徴とする請求項１記載の特典取得方法。
【請求項３】
前記情報の再生状況には、情報再生時の位置情報が含まれていることを特徴とする請求項１記載の特典取得方法。
【請求項４】
外部と通信するための通信手段と、
記憶手段に記憶された情報を再生する再生手段と、
情報の再生状況を検出する再生状況検出手段と、
該再生状況検出手段により検出された情報の再生状況に基づいて、特典取得の条件が成立したか否かを判断する条件成立判断手段と、
該条件成立判断手段により特典取得の条件が成立したと判断された場合、サーバに接続して特典を取得しにいく特典取得手段とを備えていることを特徴とする端末装置。
【請求項５】
接続される端末装置に提供する特典を蓄積しておく記憶手段と、
端末装置から情報の再生状況に応じた特典の送信要求があったか否かを判断する送信要求有無判断手段と、
該送信要求有無判断手段により前記特典の送信要求があったと判断された場合、前記特典を前記端末装置に送信する特典送信手段とを備えていることを特徴とするサーバ。
【発明の詳細な説明】
【技術分野】
【０００１】
本発明は特典取得方法、端末装置、及びサーバに関し、より詳細には、ユーザに対する楽曲等の販売促進を図ることのできる特典取得方法、端末装置、及びサーバに関する。
【背景技術】
【０００２】
従来からＣＤ等を販売する店舗では、新曲等の販売促進を行うため、対象となるＣＤ等の購入者に対してポスター等を無料配布する特典を与えること等が行われている。一方、最近では、インターネットが広く普及するとともに、小型のハードディスクやメモリカード等に記録された楽曲データを再生する携帯オーディオプレーヤーの普及によって、楽曲データをネットワークを介して購入するユーザも増えてきている。
【０００３】
このようなネットワーク配信を利用した場合の購入特典としては、例えば、購入した楽曲に関連する情報（例えば、ジャケット画像、歌詞、限定画像や動画データ等の情報）を楽曲データとともに購入時にダウンロードできるサービスが知られている（例えば、下記の特許文献１参照）。
【０００４】
しかしながら従来の特典サービスは、店舗購入、ネット購入のいずれの場合も楽曲の購入時にのみ提供されるサービスであり、楽曲購入者は、これら特典を購入時にしか受けることができなかった。
【特許文献１】特開２００１−３３３０３３号公報
【発明の開示】
【課題を解決するための手段及びその効果】
【０００５】
本発明は上記課題に鑑みなされたものであって、楽曲、画像、又は映像等の情報の再生状況に応じて特典をユーザに提供することができ、ユーザの購買意欲を高め、楽曲等の販売促進効果を高めることのできる特典取得方法、特典を受信可能な端末装置、及び特典を送信するためのサーバを提供することを目的としている。
【０００６】
上記目的を達成するために本発明に係る特典取得方法（１）は、特典を提供可能なサーバと、情報再生機能を備えた端末装置との間で通信を行わせ、前記サーバから特典を取得させるための特典取得方法であって、情報の再生状況を検出する第１のステップと、該第１のステップにおいて検出された情報の再生状況に基づいて特典取得の条件が成立したか否かを判断する第２のステップと、該第２のステップにおいて特典取得の条件が成立したと判断した場合、前記サーバに接続して特典を取得しにいく第３のステップとを含んでいることを特徴としている。
【０００７】
上記特典取得方法（１）によれば、前記端末装置では、前記情報、例えば、楽曲、画像、映像等の各種コンテンツの再生状況に応じて特典を前記サーバから取得して、ユーザに提供することができる。したがって、楽曲、画像、映像等の情報を楽しんだ後でも特典を得ることが可能となり、楽曲、画像、映像等の情報を視聴する楽しみを増やすことができるとともに、取得した特典により、関連する楽曲等に対するユーザの購買意欲を高めることができ、販売促進効果も高めることができる。
【０００８】
また本発明に係る特典取得方法（２）は、上記特典取得方法（１）において、前記情報の再生状況には、情報の累積再生回数、情報の累積再生時間のうちの少なくともいずれかが含まれていることを特徴としている。
【０００９】
上記特典取得方法（２）によれば、前記情報の再生状況に、情報の累積再生回数、又は情報の累積再生時間が含まれている場合、所定値以上の累積再生回数や累積再生時間に到達したか否かによって、特典取得の条件が成立したか否かが判断されるので、前記端末装置では、楽曲、画像、映像等の情報の累積再生回数や累積再生時間に応じて特典を前記サーバから取得して、ユーザに提供することができる。ユーザにとっては、楽曲、画像、映像等の情報を繰り返し聴くことで特典が得られるので、楽曲、画像、映像等の情報を視聴する楽しみを増やすことができる。
【００１０】
また本発明に係る特典取得方法（３）は、上記特典取得方法（１）において、前記情報の再生状況には、情報再生時の位置情報が含まれていることを特徴としている。
【００１１】
上記特典取得方法（３）によれば、前記情報の再生状況に、情報再生時の位置情報が含まれている場合、情報再生時の位置が、登録された所定の位置（場所）であるか否かによって、特典取得の条件が成立したか否かが判断されるので、前記端末装置では、情報再生時の位置が、登録された所定の位置（場所）となった場合、該所定の位置（場所）にちなんだ特典を取得してユーザに提供することができる。
【００１２】
また本発明に係る端末装置（１）は、外部と通信するための通信手段と、記憶手段に記憶された情報を再生する再生手段と、情報の再生状況を検出する再生状況検出手段と、該再生状況検出手段により検出された情報の再生状況に基づいて、特典取得の条件が成立したか否かを判断する条件成立判断手段と、該条件成立判断手段により特典取得の条件が成立したと判断された場合、サーバに接続して特典を取得しにいく特典取得手段とを備えていることを特徴としている。
【００１３】
上記端末装置（１）によれば、前記情報、例えば、楽曲、画像、映像等の各種コンテンツの再生状況に応じて特典を前記サーバから取得し、ユーザに提供することができる。したがって、楽曲、画像、映像等の情報を楽しんだ後でも特典を得ることが可能となり、情報を視聴する楽しみを増やすことができるとともに、取得した特典により、関連する楽曲等に対するユーザの購買意欲を高めることができ、販売促進効果も高めることができる。
【００１４】
また本発明に係るサーバ（１）は、接続される端末装置に提供する特典を蓄積しておく記憶手段と、端末装置から情報の再生状況に応じた特典の送信要求があったか否かを判断する送信要求有無判断手段と、該送信要求有無判断手段により前記特典の送信要求があったと判断された場合、前記特典を前記端末装置に送信する特典送信手段とを備えていることを特徴としている。
【００１５】
上記サーバ（１）によれば、前記端末装置から前記特典の送信要求があったと判断された場合、該送信要求に該当する特典、すなわち、前記情報の再生状況に応じた特典を前記端末装置に提供することができ、ユーザの楽曲等の購買意欲を高めることのできる販売促進サービスを実現することができる。
【発明を実施するための最良の形態】
【００１６】
以下、本発明に係る特典取得方法、端末装置、及びサーバの実施の形態を図面に基づいて説明する。図１は、実施の形態（１）に係る特典取得方法が採用された特典配信システムの概略構成を示したブロック図である。
【００１７】
図中１０は、楽曲再生機能を備えた端末装置を示しており、端末装置１０は、ＣＤドライブ１１、記憶部１２、操作部１３、表示部１４、音声出力部１５、無線通信部１６、及び制御部１７を含んで構成されている。
【００１８】
ＣＤドライブ１１は、ＣＤ２０に収録された楽曲データ（ディジタル信号化された曲データ）等を読み取る機能を備えており、制御部１７からの制御信号に基づいて作動するように構成されている。
【００１９】
記憶部１２は、ハードディスク等の書き換え可能な記憶装置で構成されており、記憶部１２には、アルバム名、曲名、アーティスト名、及び識別ＩＤ（例えばＴＯＣ情報）等の楽曲に関する情報が記録されている楽曲情報データベース（以下、データベースをＤＢと記す）と、ＣＤドライブ１１で読み取られたＣＤ２０の楽曲データや無線通信部１６を制御して外部からダウンロードした楽曲データ等が収録される楽曲ＤＢが含まれている。
【００２０】
図２は、楽曲ＤＢのデータ構造の一部を示している。楽曲ＤＢを構成するデータ項目には、収録日時、識別ＩＤ（ＴＯＣ情報）、アルバム名、曲名、アーティスト名、及び楽曲データが含まれており、アルバム名、曲名、及びアーティスト名は、楽曲情報ＤＢのデータから付与され、録音日時データは、端末装置１０に装備されている計時部（図示せず）から取得したデータが付与されるようになっている。なお、楽曲情報ＤＢのデータと楽曲ＤＢのデータとは、識別ＩＤ（例えば、ＴＯＣ情報）によりリンク可能に構成されている。
【００２１】
また、記憶部１２には、実施の形態（１）に係る特典取得方法を実現するためのプログラムが記憶されている。この特典取得プログラムは、サーバ３０から特典を取得するために、この配信サービスを提供する会社のホームページを通じて会員登録した後にダウンロードされたものである。なお、特典取得プログラムがダウンロードされた場合、図３に示した再生状況記録テーブルが作成されて記憶部１２に記録されるようになっている。
【００２２】
図３に示した再生状況記録テーブルは、楽曲ＤＢに収録された楽曲毎の累積再生回数と累積再生時間とが更新されるテーブル構成となっており、再生状況記録テーブルのデータは、各楽曲の識別ＩＤ（例えば、ＴＯＣ情報）を用いて図２に示した楽曲ＤＢの各データとリンク可能に構成されている。
【００２３】
操作部１３は、端末装置１０の本体に設けられたボタンスイッチや、表示部１４上に設けられたタッチパネル等を含んで構成されており、ＣＤドライブ１１、無線通信部１６、及び制御部１７等に対する各種入力操作が行えるように構成されている。
【００２４】
表示部１４は、液晶ディスプレイから構成されており、各種画像の表示が可能となっている。音声出力部１５は、ＣＤドライブ１１や記憶部１２の楽曲ＤＢから読み出された楽曲データをアナログの音声信号に変換し増幅してスピーカ（図示せず）から出力する機能を備えているものであり、変調器や増幅器等を含んで構成されている。
【００２５】
無線通信部１６は、アンテナ１６ａ、基地局２１、通信網（インターネット等）２２を介してサーバ３０との間で通信を行うためのものであり、送受信機能を有する無線機を含んで構成されている。
【００２６】
制御部１７は、端末装置１０が有する各機能を実現するためのプログラム等が記憶されたＲＯＭ、ＲＯＭや記憶部１２から読み出したプログラムを実行するためのＣＰＵ、及びＣＰＵで演算されたデータ等が一時的に記憶されるＲＡＭ（いずれも図示せず）を含むマイコンで構成されている。
【００２７】
一方、図中３０は、特典を提供可能なサーバを示しており、サーバ３０は、通信網２２、基地局２１を介して端末装置１０との間で通信を行うための通信部３１、記憶部３２、及びこれら各部を制御するマイコンで構成された制御部３３を含んで構成されている。
【００２８】
記憶部３２は、ハードディスク等の書き換え可能な記憶装置から構成されており、記憶部３２には、端末装置１０から送信されてくる情報が記憶される端末情報ＤＢと、接続される各端末装置に提供する特典を蓄積しておく特典ＤＢとが含まれている。なお、特典ＤＢには、楽曲毎に、累積再生回数（例えば、１０、２０、３０、…回）や累積再生時間（例えば、３０、６０、９０、…分）に応じた特典（例えば、累積再生回数が、１０回のときは写真、２０回のときはライブ動画、ｎ回のときは限定プレゼント情報等）が登録されるようになっている。なお特典は、ユーザの購買意欲を高めることのできる情報であれば特に限定されない。
【００２９】
制御部３３は、通信部３１を介して端末装置１０から送信されてくる情報を取得する機能と、端末装置１０から特典の送信要求があったか否かを判断し、端末装置１０から特典の送信要求があったと判断された場合、該送信要求に応じた特典を特典ＤＢの中から探索して、端末装置１０に送信する機能とを有している。
【００３０】
次に実施の形態（１）に係る特典配信システムを構成する端末装置１０における制御部１７の行う処理動作を図４に示したフロ−チャ−トに基づいて説明する。なお、本処理動作は、記憶部１２の楽曲ＤＢに収録されている楽曲が再生された場合に実行される。
【００３１】
まず、楽曲の再生が開始されたか否かを判断し（ステップＳ１）、楽曲の再生が開始されていないと判断すれば処理を終える一方、楽曲の再生が開始されたと判断すれば、記憶部１２の再生状況記録テーブルの中から当該楽曲の累積再生回数ｃを読み出し、累積再生回数ｃに１を加算して更新する（ステップＳ２）。
【００３２】
その後、楽曲の再生が終了したか否か（その曲の演奏が完了した場合の他、ユーザによる停止操作、スキップ操作等が行われた場合も含む）を判断し（ステップＳ３）、楽曲の再生が終了したと判断すれば、再生状況記録テーブルの中から当該楽曲の累積再生時間ｔを読み出し、累積再生時間ｔに今回の再生時間Δｔを加算して更新する（ステップＳ４）。
【００３３】
次に、更新後の累積再生回数ｃが、所定値ｃ’（特典取得の条件）以上になったか否かを判断し（ステップＳ５）、累積再生回数ｃが、所定値ｃ’未満であると判断すれば、次に更新後の累積再生時間ｔが、所定時間ｔ’（特典取得の条件）以上になったか否かを判断し（ステップＳ６）、累積再生時間ｔが、所定時間ｔ’未満であると判断すれば処理を終える。なお、上記所定値ｃ’、及び所定時間ｔ’は、特典取得プログラムに予め設定されている値が使用されるようになっている。
【００３４】
一方、ステップＳ５において、累積再生回数ｃが、所定値ｃ’以上であると判断した場合、又はステップＳ６において、累積再生時間ｔが、所定時間ｔ’以上であると判断した場合、ステップＳ７に進む。ステップＳ７では、無線通信部１６を制御してサーバ３０に接続し、特典を要求する信号（すなわち、当該楽曲の識別ＩＤ、累積再生回数ｃ又は累積再生時間ｔのデータ、及び登録ユーザＩＤ等を含む信号）を送信し、その後、サーバ３０から特典を受信したか否かを判断し（ステップＳ８）、特典を受信したと判断すれば、受信した特典をユーザに通知する処理を行い（ステップＳ９）、その後処理を終える。なお、ユーザに通知する処理としては、例えば、表示部１４に特典を受信したことを示すマーク等を表示させる、音声によりユーザに特典の受信を知らせる、又は受信した特典を表示部１４に自動的に表示させる等の処理とすることができ、図５には、取得した特典の表示例を示しており、図５に示した表示例では、画面中の「画像」ボタンをタッチすると、アーティストの限定画像が表示されるようになっている。
【００３５】
次に実施の形態（１）に係る特典配信システムを構成するサーバ３０における制御部３３の行う処理動作を図６に示したフロ−チャ−トに基づいて説明する。なお、本処理動作は、端末装置１０から送信されてきた特典要求信号を受信した場合に実行される。
【００３６】
まず、端末装置１０からの特典要求信号を受信したか否かを判断し（ステップＳ１１）、特典要求信号を受信していないと判断すれば処理を終える一方、特典要求信号を受信したと判断すれば、特典要求信号に含まれている情報（楽曲の識別ＩＤ、累積再生回数ｃ又は累積再生時間ｔのデータ）に基づいて、対応する特典（例えば、当該楽曲の累積再生回数ｃ（又は累積再生時間ｔ）の欄に登録されている特典）を記憶部３２の特典ＤＢの中から抽出する探索処理を行い（ステップＳ１２）、その後探索された特典を、特典要求信号を送信してきた端末装置１０へ送信する処理を行い（ステップＳ１３）、その後処理を終える。
【００３７】
実施の形態（１）に係る特典配信システムを構成する端末装置１０によれば、楽曲の再生状況に応じて特典をサーバ３０から取得して、ユーザに提供することができる。したがって、楽曲を楽しんだ後でも特典を得ることが可能となり、楽曲を聴く楽しみを倍増させることができるとともに、取得した特典により、関連する楽曲等に対するユーザの購買意欲を高めることができ、販売促進効果も高めることができる。
【００３８】
また、所定値以上の累積再生回数や累積再生時間に到達したか否かによって、特典取得の条件が成立したか否かが判断されるので、楽曲の累積再生回数や累積再生時間に応じて特典をサーバ３０から取得して、ユーザに提供することができる。ユーザにとっては、楽曲を繰り返し聴くことで特典が得られるので、楽曲を聴く楽しみを増やすことができる。
【００３９】
なお、上記実施の形態（１）に係る端末装置１０では、楽曲の累積再生回数が所定値に到達、又は楽曲の累積再生時間が所定時間に到達した場合に、特典要求信号を送信するようになっているが、別の実施の形態では、楽曲の累積再生回数が所定値に到達、かつ楽曲の累積再生時間が所定時間に到達した場合に特典要求信号を送信する構成としてもよい。
【００４０】
また、上記実施の形態（１）に係る端末装置１０では、ＣＤドライブ１１を備えている場合について説明したが、ＣＤドライブ１１を設けない構成としてもよく、また、記憶部１２に着脱式の半導体メモリを採用することもできる。また、無線通信部１６の代わりに有線でサーバ３０に接続するモデム等の通信手段が採用された構成にも適用することができる。
【００４１】
また、上記実施の形態（１）に係るサーバ３０によれば、端末装置１０から楽曲の再生状況に応じた特典の送信要求信号を受信した場合に、該特典送信要求信号に該当する特典、すなわち、楽曲の再生状況に応じた特典を端末装置１０に提供することができ、ユーザの楽曲等の購買意欲を高めることのできる販売促進サービスを実現することができる。
【００４２】
また、上記実施の形態（１）に係る端末装置１０では、楽曲の累積再生回数が所定値に到達、又は楽曲の累積再生時間が所定時間に到達した場合に、特典要求信号を送信するようになっているが、別の実施の形態では、端末装置に、画像、映像等が記録されたＤＶＤ等の記録媒体の再生機能（例えば、ＤＶＤドライブ）を設けた構成とし、端末装置の記憶部に、画像や映像毎の累積再生回数や累積再生時間等の再生状況を記憶させて、ある画像や映像の累積再生回数が所定値に到達、及び／又はある画像や映像の累積再生時間が所定時間に到達した場合に、特典要求信号をサーバ側に送信する構成としてもよい。
【００４３】
そして、サーバ側では、端末装置から画像や映像の再生状況に応じた特典の送信要求信号を受信した場合に、該特典送信要求信号に該当する特典、すなわち、画像や映像の再生状況に応じた特典を特典ＤＢから抽出して端末装置に提供する構成としてもよく、楽曲のみならず、画像や映像等の各種コンテンツの再生状況に応じた特典情報を取得・提供可能なシステムを構築することができる。
【００４４】
図７は、実施の形態（２）に係る特典取得方法が採用された特典配信システムの概略構成を示したブロック図である。但し、図１に示した特典配信システムを構成する端末装置１０、及びサーバ３０の各構成部品と、同一機能を有する構成部品には同一符号を付し、その説明を省略することとする。
【００４５】
端末装置１０Ａは、ＣＤドライブ１１、記憶部１２Ａ、操作部１３、表示部１４、音声出力部１５、無線通信部１６、制御部１７Ａ、現在位置を検出するＧＰＳ受信機１８、及び地図上における現在位置を割り出して目的地までの経路誘導等の各種ナビゲーション処理を実行するナビ制御部１９を含む、所謂オーディオ・ナビゲーション装置として構成されており、制御部１７Ａは、ナビ制御部１９から現在位置情報（市町村等の地名や地図座標データ）を取り込むことが可能となっている。なお、別の実施の形態では、ナビ制御部１９を設けず（すなわち、ナビゲーション機能は設けず）、ＧＰＳ受信機１８のみを設けて、制御部１７Ａにおいて現在位置を割り出す構成としてもよい。
【００４６】
記憶部１２Ａは、ハードディスク等の書き換え可能な記憶装置から構成されており、記憶部１２Ａには、上述した楽曲情報ＤＢ、ＣＤドライブ１１を介して読み込んだＣＤの楽曲データや無線通信部１６を介してダウンロードした楽曲データ等が記憶される楽曲ＤＢの他、ナビゲーション用の電子地図ＤＢ等が収録されている。
【００４７】
図８は、記憶部１２Ａ内の楽曲ＤＢのデータ構造の一部を示しており、楽曲ＤＢを構成するデータ項目には、各楽曲の収録日時、識別ＩＤ（ＴＯＣ情報等）、アルバム名、曲名、アーティスト名、及び楽曲データの他に、特典取得条件に関する情報が含まれている。この特典取得条件に関する情報には、特典の提供を受けるための累積再生回数の判定値ｃ”、累積再生時間の判定時間ｔ”、及び特典の提供場所情報が含まれている。
【００４８】
なお、特典の提供場所情報には、地図エリアを示す情報（市町村名、場所、地図座標領域等の情報）が登録されており、上記したこれら特典取得条件に関する情報は、例えば、楽曲データをダウンロードした場合に添付データとして取得する構成、又は、記憶部１２Ａの音楽ＤＢに楽曲データが新たに収録された場合に、サーバ３０Ａに接続して、収録された楽曲に対応する特典取得条件に関する情報を取得する構成とすることができる。
【００４９】
また、記憶部１２Ａには、実施の形態（２）に係る特典取得方法を実現するためのプログラムが記憶されている。この特典取得プログラムは、サーバ３０から特典を取得するために、この配信サービスを提供する会社のホームページを通じて会員登録した後にダウンロードされたものである。なお、特典取得プログラムがダウンロードされた場合、図３に示した再生状況記録テーブルと同様のテーブルが作成されて記憶部１２Ａに記録されるようになっている。
【００５０】
制御部１７Ａは、端末装置１０Ａが有する各機能を実現するためのプログラム等が記憶されたＲＯＭ、ＲＯＭや記憶部１２Ａから読み出したプログラムを実行するためのＣＰＵ、及びＣＰＵで演算されたデータ等が一時的に記憶されるＲＡＭ（いずれも図示せず）を含むマイコンで構成されている。
【００５１】
一方、サーバ３０Ａは、通信網２２、基地局２１を介して端末装置１０Ａとの間でデータ通信を行うための通信部３１、記憶部３２Ａ、及びこれら各部を制御するマイコンで構成された制御部３３Ａを含んで構成されている。
【００５２】
記憶部３２Ａは、ハードディスク等の書き換え可能な記憶装置から構成されており、記憶部３２Ａには、端末装置１０Ａから送信されてくる情報が記憶される端末情報ＤＢと、端末装置に提供する特典を蓄積しておく特典ＤＢとが含まれている。
【００５３】
制御部３３Ａは、通信部３１を介して端末装置１０Ａから送信されてくる情報を取得する機能と、端末装置１０Ａから特典の送信要求があったか否かを判断し、端末装置１０から特典の送信要求があったと判断された場合、該送信要求に応じた特典を特典ＤＢから探索して、端末装置１０Ａに送信する機能とを有している。
【００５４】
次に実施の形態（２）に係る特典配信システムを構成する端末装置１０Ａにおける制御部１７Ａの行う処理動作を図９に示したフロ−チャ−トに基づいて説明する。なお、本処理動作は、記憶部１２Ａの楽曲ＤＢに収録されている楽曲が再生された場合に実行される。
【００５５】
まず、楽曲の再生が開始されたか否かを判断し（ステップＳ２１）、楽曲の再生が開始されていないと判断すれば処理を終える一方、楽曲の再生が開始されたと判断すれば、記憶部１２Ａの再生状況記録テーブルの中から当該楽曲の累積再生回数ｃを読み出し、累積再生回数ｃに１を加算して更新する（ステップＳ２２）。
【００５６】
次に、ナビ制御部１９から現在位置情報（現在位置の地名（県名、市町村名、地図座標など）を取得し（ステップＳ２３）、現在位置が、記憶部１２Ａの楽曲ＤＢに記憶されている当該楽曲の特典の提供場所に該当するか否かを判断し（ステップＳ２４）、現在位置が、当該楽曲の特典の提供場所ではないと判断すればステップＳ２８以降の処理へ進む一方、現在位置が、当該楽曲の特典の提供場所であると判断すればステップＳ２５に進む。
【００５７】
ステップＳ２５では、無線通信部１６を制御してサーバ３０Ａに接続し、特典を要求する信号（すなわち、楽曲の識別ＩＤ、特典の提供場所情報、及び登録ユーザＩＤ等を含む信号）を送信し、その後、サーバ３０Ａから特典（特典提供場所にちなんだ情報）を受信したか否かを判断し（ステップＳ２６）、特典を受信したと判断すれば、受信した特典をユーザに通知する処理を行い（ステップＳ２７）、その後ステップＳ２８に進む。
【００５８】
ステップＳ２８では、楽曲の再生が終了したか否か（その曲の演奏が完了した場合の他、ユーザによる停止操作、スキップ操作等が行われた場合も含む）を判断し、楽曲の再生が終了していないと判断すればステップＳ２３に戻る一方、楽曲の再生が終了したと判断すれば、再生状況記録テーブルの中から当該楽曲の累積再生時間ｔを読み出し、累積再生時間ｔに今回の再生時間Δｔを加算して更新する（ステップＳ２９）。
【００５９】
次に、更新後の累積再生回数ｃが、楽曲ＤＢに登録されている当該楽曲の判定値ｃ”（特典取得の条件）以上になったか否かを判断し（ステップＳ３０）、累積再生回数ｃが、判定値ｃ”未満であると判断すれば、次に更新後の累積再生時間ｔが、楽曲ＤＢに登録されている当該楽曲の判定時間ｔ”（特典取得の条件）以上になったか否かを判断し（ステップＳ３１）、累積再生時間ｔが、判定時間ｔ”未満であると判断すれば処理を終える。
【００６０】
一方、ステップＳ３０において、累積再生回数ｃが、判定値ｃ”以上であると判断した場合、又はステップＳ３１において、累積再生時間ｔが、判定時間ｔ”以上であると判断した場合、ステップＳ３２に進む。ステップＳ３２では、無線通信部１６を制御してサーバ３０Ａに接続し、特典を要求する信号（すなわち、楽曲の識別ＩＤ、累積再生回数ｃ又は累積再生時間ｔのデータ、及び登録ユーザＩＤ等を含む信号）を送信し、その後、サーバ３０Ａから特典を受信したか否かを判断し（ステップＳ３３）、特典を受信したと判断すれば、受信した特典をユーザに通知する処理を行い（ステップＳ３４）、その後処理を終える。なお、ステップＳ２７、Ｓ３４におけるユーザへの通知する処理としては、例えば、表示部１４に特典を受信したことを示すマーク等を表示させる、又は音声によりユーザに特典の受信を知らせる、或は、受信した特典を表示部１４に自動的に表示させる等の処理とすることができる。
【００６１】
次に実施の形態（２）に係る特典配信システムを構成するサーバ３０Ａにおける制御部３３Ａの行う処理動作を図１０に示したフロ−チャ−トに基づいて説明する。なお、本処理動作は、端末装置１０Ａから送信されてきた特典要求信号を受信した場合に実行される。
【００６２】
まず、端末装置１０Ａからの特典要求信号を受信したか否かを判断し（ステップＳ４１）、特典要求信号を受信していないと判断すれば処理を終える一方、特典要求信号を受信したと判断すれば、特典要求信号に特典の提供場所情報が含まれているか否かを判断し（ステップＳ４２）、特典の要求場所情報が含まれていると判断すれば、特典の提供場所情報に対応する特典（特典提供場所にちなんだ情報）を特典ＤＢから抽出する特典の探索処理を行い（Ｓ４３）、その後ステップＳ４５に進む。
【００６３】
一方、ステップＳ４２において、特典の要求場所情報が含まれていない、すなわち、累積再生回数ｃ又は累積再生時間ｔのデータが含まれていると判断すれば、当該楽曲の累積再生回数ｃ又は累積再生時間ｔに対応する特典を特典ＤＢから抽出する特典の探索処理を行い（ステップＳ４４）、その後ステップＳ４５に進む。ステップＳ４５では、特典ＤＢから抽出された特典を、特典要求信号を送信してきた端末装置１０Ａへ送信する処理を行い、その後処理を終える。
【００６４】
実施の形態（２）に係る特典配信システムを構成する端末装置１０Ａによれば、上記した端末装置１０と略同様な効果、すなわち、楽曲の再生状況に応じて特典をサーバ３０Ａから取得して、ユーザに提供することができ、楽曲を楽しんだ後でも特典を得ることが可能となり、楽曲を聴く楽しみを倍増させることができるとともに、取得した特典により、関連する楽曲等に対するユーザの購買意欲を高めることができ、販売促進効果も高めることができる。
【００６５】
また、楽曲の累積再生回数や累積再生時間に応じて特典をサーバ３０Ａから取得し、ユーザに提供することができ、さらに、楽曲再生時の位置が、楽曲ＤＢに登録されている特典提供場所であるか否かによって、特典取得の条件が成立したか否かが判断されるので、楽曲再生時の位置が、登録されている特典提供場所となった場合、その場所にちなんだ特典を取得することができ、ユーザに多様な情報を提供することができる。
【００６６】
なお、上記実施の形態（２）に係る特典配信システムでは、収録楽曲の特典取得条件に関する情報が、端末装置１０Ａの記憶部１２Ａ（楽曲ＤＢ）に登録されるようになっているが、別の実施の形態では、各楽曲の特典取得条件に関する情報をサーバ３０Ａの記憶部３２Ａに登録しておき、サーバ３０Ａ側において、端末装置１０Ａから送信されてきた累積再生回数ｃ、累積再生時間ｔ、又は現在位置情報に基づいて、特典取得の条件が成立したか否かを判断する構成としてもよい。
【００６７】
また、上記実施の形態（１）、（２）に係る特典配信システムを構成する端末装置１０、１０Ａでは、楽曲ＤＢに収録されている楽曲の再生が開始された場合に（すなわち、開始時点で）、累積再生回数ｃに１を加算するようになっているが、別の実施の形態では、楽曲の実際の再生時間に応じて累積再生回数の値に重み付けを行うようにしてもよく、例えば、楽曲の再生が最後まで行われた場合、累積再生回数の値として１を加算し、楽曲の再生が最後まで行われなかったが、半分以上再生された場合、累積再生回数の値として０．５を加算し、楽曲の再生が半分未満で終わった場合、累積再生回数の値として０．２を加算するような構成、或は、その曲における再生時間の比率（実際の再生時間／収録演奏時間）に対応させた値を累積再生回数の値として加算するような構成としてもよい。
【図面の簡単な説明】
【００６８】
【図１】本発明の実施の形態（１）に係る特典配信システムの概略構成を示したブロック図である。
【図２】実施の形態（１）に係る端末装置の記憶部に記憶されている楽曲ＤＢのデータ構造を示した図である。
【図３】実施の形態（１）に係る端末装置の記憶部に記憶される再生状況記録テーブルのデータ構造を示した図である。
【図４】実施の形態（１）に係る特典配信システムを構成する端末装置における制御部の行う処理動作を示したフローチャートである。
【図５】取得した特典の表示部への表示例を示した図である。
【図６】実施の形態（１）に係る特典配信システムを構成するサーバにおける制御部の行う処理動作を示したフローチャートである。
【図７】実施の形態（２）に係る特典配信システムの概略構成を示したブロック図である。
【図８】実施の形態（２）に係る端末装置の記憶部に記憶されている楽曲ＤＢのデータ構造を示した図である。
【図９】実施の形態（２）に係る特典配信システムを構成する端末装置における制御部の行う処理動作を示したフローチャートである。
【図１０】実施の形態（２）に係る特典配信システムを構成するサーバにおける制御部の行う処理動作を示したフローチャートである。
【符号の説明】
【００６９】
１０、１０Ａ  端末装置
１１  ＣＤドライブ
１２、１２Ａ  記憶部
１３  操作部
１４  表示部
１５  音声出力部
１６  無線通信部
１７、１７Ａ  制御部  
３０、３０Ａ  サーバ
３１  通信部
３２、３２Ａ  記憶部
３３、３３Ａ  制御部
【図１】
2007219799.tif 000003
【図２】
2007219799.tif 000004
【図３】
2007219799.tif 000005
【図４】
2007219799.tif 000006
【図５】
2007219799.tif 000007
【図６】
2007219799.tif 000008
【図７】
2007219799.tif 000009
【図８】
2007219799.tif 000010
【図９】
2007219799.tif 000011
【図１０】
2007219799.tif 000012